(57)【要約】【課題】周辺状況が変化しても出庫可能な駐車位置を設定する駐車支援装置を提供すること。【解決手段】本発明に係る駐車支援装置１０では、駐車候補領域検出手段３１〜３３によって駐車スペースを検出し、環境変化推定手段３４〜３５によって自車両の出庫時における駐車スペースの周囲スペースを推定する。この周囲スペースにおいて自車両が出庫可能か否かを判定手段３６によって判定し、この判定結果に基づいて支援手段３７によって駐車位置の設定を支援する。よって、出庫時に周辺環境がどのように変化するかを考慮して出庫可否の判定及び駐車位置の設定を行うため、周辺状況が変化しても出庫可能な駐車位置を設定することができる。【選択図】  図１
2010132029.tif 000002
【特許請求の範囲】
【請求項１】
車両の駐車時に駐車位置の設定を支援する駐車支援装置であって、
駐車候補領域を検出する駐車候補領域検出手段と、
前記車両の出庫時における前記駐車候補領域の周辺環境を推定する環境変化推定手段と、
前記環境変化推定手段により推定された前記周辺環境において前記車両が前記駐車候補領域から出庫可能か否かを判定する判定手段と、
前記判定手段による判定結果に基づいて前記駐車位置の設定を支援する支援手段と、
を備えることを特徴とする駐車支援装置。
【請求項２】
前記支援手段は、前記判定手段によって出庫可能と判定された駐車候補領域に前記駐車位置を設定する、
請求項１に記載の駐車支援装置。
【請求項３】
前記環境変化推定手段は、前記駐車候補領域の周辺における駐車車両の状態を推定する、
請求項１又は２に記載の駐車支援装置。
【請求項４】
前記環境変化推定手段は、前記駐車候補領域の前後の通路の状況を推定する、
請求項１又は２に記載の駐車支援装置。
【請求項５】
前記車両が前記駐車候補領域に駐車するよりも前に、前記駐車候補領域に他車両が駐車するか否かを推定する推定手段を更に備え、
前記支援手段は、前記推定手段による推定結果に基づいて前記駐車位置を設定する、
請求項１に記載の駐車支援装置。
【発明の詳細な説明】
【技術分野】
【０００１】
本発明は、車両の駐車位置の設定を支援する駐車支援装置に関する。
【背景技術】
【０００２】
従来、駐車場等における車両の駐車を支援するものとして、例えば特開２００７−３０７００号公報に記載された駐車支援装置がある。この駐車支援装置では、車両の入出庫時に必要となる、周辺駐車車両との余裕空間を考慮した駐車位置に車両を案内することにより、車両の駐車における運転操作を支援している。
【特許文献１】特開２００７−３０７００号公報
【発明の開示】
【発明が解決しようとする課題】
【０００３】
しかしながら、特許文献１に記載された駐車支援装置では、車両を駐車している間に周辺の状況が変化し、例えば周辺駐車車両との余裕空間が十分でなくなる等の場合に、車両を出庫できなくなるおそれがあった。
【０００４】
そこで本発明は、このような技術課題を解決するためになされたものであって、周辺状況が変化しても出庫可能な駐車位置を設定する駐車支援装置を提供することを目的とする。
【課題を解決するための手段】
【０００５】
すなわち本発明に係る駐車支援装置は、車両の駐車時に駐車位置の設定を支援する駐車支援装置であって、駐車候補領域を検出する駐車候補領域検出手段と、車両の出庫時における駐車候補領域の周辺環境を推定する環境変化推定手段と、環境変化推定手段により推定された周辺環境において車両が駐車候補領域から出庫可能か否かを判定する判定手段と、判定手段による判定結果に基づいて駐車位置の設定を支援する支援手段と、を備えることを特徴とする。
【０００６】
本発明に係る駐車支援装置によれば、駐車候補領域検出手段によって駐車候補領域が検出され、環境変化推定手段によって車両の出庫時における駐車候補領域の周辺環境が推定される。また、こうして推定された周辺環境において車両が出庫可能か否かが判定手段によって判定され、この判定結果に基づいて駐車位置の設定が支援手段によって支援される。よって、出庫時に周辺環境がどのように変化するかを考慮して出庫の可否を判定し、車両の駐車位置を設定するため、駐車中の周辺環境の変化に応じた駐車位置の設定が可能となる。したがって、周辺状況が変化しても出庫可能な駐車位置を設定することができる。
【０００７】
また本発明に係る駐車支援装置において、支援手段は、判定手段によって出庫可能と判定された駐車候補領域に駐車位置を設定することが好ましい。
【０００８】
この発明によれば、判定手段によって出庫可能と判定された駐車候補領域に駐車位置が設定されるため、出庫可能な駐車位置に車両を駐車することができる。よって、駐車中の状況変化により出庫が不可能となる事態を回避できる。
【０００９】
また本発明に係る駐車支援装置において、環境変化推定手段は、駐車候補領域の周辺における駐車車両の状態を推定することが好ましい。
【００１０】
この発明によれば、環境変化推定手段によって駐車候補領域の周辺における駐車車両の状態が推定される。また、こうして推定された周辺駐車車両の状態において車両が出庫可能か否かが判定され、この判定結果に基づいて駐車位置の設定が支援される。よって、周辺の駐車車両の状態が変化しても出庫可能な駐車位置を設定することができる。ここで、駐車車両の状態とは、駐車車両の有無、大きさ、形状のことをいう。すなわち、この発明によれば、駐車時には空いていたスペースに駐車車両が駐車していたり、周辺の駐車車両が大きくなる等の状況変化により出庫が不可能となる事態を回避できる。
【００１１】
また本発明に係る駐車支援装置において、環境変化推定手段は、駐車候補領域の前後の通路の状況を推定することが好ましい。
【００１２】
この発明によれば、環境変化推定手段によって駐車候補領域の前後の通路の状況が推定される。また、こうして推定された駐車候補領域の前後の通路の状況において車両が出庫可能か否かが判定され、この判定結果に基づいて駐車位置の設定が支援される。よって、駐車候補領域の前後の通路の状況が変化しても出庫可能な駐車位置を設定することができる。
【００１３】
また本発明に係る駐車支援装置において、車両が駐車候補領域に駐車するよりも前に、駐車候補領域に他車両が駐車するか否かを推定する推定手段を更に備え、支援手段は、推定手段による推定結果に基づいて駐車位置を設定することが好ましい。
【００１４】
この発明によれば、車両が駐車候補領域に駐車するよりも前に、駐車候補領域に他車両が駐車するか否かが推定手段によって推定される。また、この推定結果に基づいて駐車位置の設定が支援される。よって、他車両に先に駐車されてしまい駐車が不可能となる事態を回避できる。
【発明の効果】
【００１５】
本発明に係る駐車支援装置によれば、周辺状況が変化しても出庫可能な駐車位置を設定することができる。
【発明を実施するための最良の形態】
【００１６】
以下、添付図面を参照して本発明の好適な実施形態について説明する。なお、図面の説明において同一の要素には同一の符号を付し、重複する説明を省略する。
【００１７】
（第一実施形態）
図１は第一実施形態に係る駐車支援装置を示すブロック構成図である。本実施形態に係る駐車支援装置１０は、駐車場等において車両の駐車位置の設定を支援する装置である。駐車支援装置１０は、自車両に設けられており、自車両の駐車時に駐車位置の設定を支援する。
【００１８】
図１に示すように、駐車支援装置１０は、駐車スペース検出部１、ＧＰＳ（Global Positioning System）受信機２、駐車支援ＥＣＵ（Electronic Control Unit）３、車両制御ＥＣＵ４を備えて構成されている。駐車スペース検出部１およびＧＰＳ受信機２はそれぞれ、駐車支援ＥＣＵ３に接続されており、また、車両制御ＥＣＵ４が駐車支援ＥＣＵ３に接続されている。
【００１９】
駐車スペース検出部１は、レーザーレンジファインダ及びカメラ等を備えており、所定範囲に向けてレーザ光を走査し、その反射光を受光することによって測定対象物上の各点までの距離を検出するとともに、自車両の周囲の所定範囲における画像を取得する機能を有している。駐車スペース検出部１は、自車両の前方および側方の所定範囲に向けてレーザ光を走査しうるように自車両に取り付けられている。駐車スペース検出部１による距離検出および画像の取得は、エンジンが始動してから停止するまで、所定時間ごとに行われる。駐車スペース検出部１は、検出した距離および画像を示す信号を生成し、駐車スペース検出信号として駐車支援ＥＣＵ３へ逐次出力する。
【００２０】
ＧＰＳ受信機２は、自車両に取り付けられたアンテナ等を備えており、ＧＰＳを用いて自車両の位置を検出する機能を有している。このアンテナは自車両の異なる２箇所に取り付けられている。ＧＰＳ受信機２による位置の検出は、エンジンが始動してから停止するまで、所定時間ごとに行われる。ＧＰＳ受信機２は、検出した自車両の位置を示す信号を生成し、自車両位置信号として駐車支援ＥＣＵ３へ逐次出力する。
【００２１】
本実施形態においては、駐車場において自車両が駐車しようとする際、駐車スペース検出部１によって駐車場内の駐車スペースや他車両が検出され、これらの自車両からの距離が検出される。また、ＧＰＳ受信機２によって駐車場内における自車両の位置や向きが検出される。
【００２２】
駐車支援ＥＣＵ３は、例えばＣＰＵ（Central Processing Unit)、ＲＯＭ(Read Only Memory)、ＲＡＭ(Random AccessMemory)を含むコンピュータを主体として構成されており、自車両の駐車位置を設定し、駐車行動を決定するものである。すなわち、駐車支援ＥＣＵ３は、自車両に対して駐車位置の設定を支援する。駐車支援ＥＣＵ３は、候補領域検出部３１、現在位置検出部３２、駐車可否判定部３３、駐車位置演算部３４、仮想車両設定部３５、出庫可否判定部３６、および駐車行動決定部３７を備えている。
【００２３】
候補領域検出部３１は、駐車スペース検出部１から出力された駐車スペース検出信号を取得し、取得した駐車スペース検出信号が示す画像に画像処理を施すことにより、空き駐車スペースを検出する機能を有している。また、候補領域検出部３１は、取得した駐車スペース検出信号に基づいて、検出した駐車スペースの自車両からの距離を検出する機能を有している。
【００２４】
現在位置検出部３２は、ＧＰＳ受信機２から出力された自車両位置信号を取得し、それぞれのアンテナにおける位置信号に基づいて、駐車場における自車両の位置および姿勢を検出する機能を有している。ここで、自車両の姿勢とは「向き」を意味する。
【００２５】
駐車可否判定部３３は、候補領域検出部３１により検出された駐車スペースと現在位置検出部３２により検出された自車両の位置および向きとに基づいて、自車両がその駐車スペースに駐車可能か否かを判定する機能を有している。こうして駐車可能と判定された駐車スペースは、駐車候補領域に相当する。
【００２６】
このように、候補領域検出部３１、現在位置検出部３２、および駐車可否判定部３３は、駐車候補領域を検出する駐車候補領域検出手段として機能する。
【００２７】
駐車位置演算部３４は、駐車可否判定部３３により駐車可能と判定された駐車スペースに自車両が駐車した場合の駐車位置および姿勢を演算する機能を有している。
【００２８】
仮想車両設定部３５は、駐車スペース検出部１から出力された駐車スペース検出信号を取得し、取得した駐車スペース検出信号が示す画像に画像処理を施すことにより、駐車可否判定部３３により駐車可能と判定された駐車スペースの周辺における別の駐車スペースを検出する機能を有している。以下の説明において、仮想車両設定部３５により検出される、周辺の駐車スペースを「周囲駐車スペース」ともいう。
【００２９】
また、仮想車両設定部３５は、検出した周囲駐車スペースに駐車車両（以下の説明においては「周辺駐車車両」ともいう。）を仮想的に配置する機能を有している。この周辺駐車車両は、自車両が駐車スペースから出庫する際に自車両の周辺に存在しうる他車両として設定されるものである。さらに、仮想車両設定部３５は、配置した周辺駐車車両の位置によって決まる自車両の周囲スペースを周辺環境として演算する機能を有している。
【００３０】
このように、駐車位置演算部３４および仮想車両設定部３５は、自車両の出庫時における駐車候補領域の周辺環境を推定する環境変化推定手段として機能する。
【００３１】
出庫可否判定部３６は、駐車位置演算部３４により演算された自車両の駐車位置および姿勢と仮想車両設定部３５により演算された自車両の周囲スペースとに基づいて、周辺駐車車両が駐車されている状態において自車両が出庫可能か否かを判定する機能を有している。すなわち、出庫可否判定部３６は、環境変化推定手段により推定された周辺環境において自車両が駐車候補領域から出庫可能か否かを判定する判定手段として機能する。
【００３２】
駐車行動決定部３７は、出庫可否判定部３６による出庫可否の判定による判断結果に基づいて、自車両の駐車スペースへの駐車を開始するか中止するかを決定する機能を有している。また、駐車行動決定部３７は駐車開始を決定した場合に駐車スペースへの駐車を指示する駐車開始信号を生成し、車両制御ＥＣＵ４へ出力する機能を有している。すなわち、駐車行動決定部３７は、判定手段による判定結果に基づいて駐車位置の設定を支援する支援手段として機能する。
【００３３】
車両制御ＥＣＵ４は、駐車支援ＥＣＵ３の駐車行動決定部３７から出力された駐車開始信号を取得し、駐車が決定された駐車スペースへ自車両を駐車させるべく、自車両を制御する機能を有している。
【００３４】
以上の構成を備える駐車支援装置１０の動作について、以下に説明する。図２は駐車支援装置１０による処理手順を示すフローチャートである。図２における処理は、自車両が駐車場において駐車態勢になると開始され、自車両が駐車を完了するか、駐車を中止して通常の走行状態に戻るまで駐車支援ＥＣＵ３によって所定の周期で繰り返し実行される。なお、自車両の駐車態勢は、駐車スペース検出部１による検出結果から判断してもよいし、ＧＰＳ受信機２による位置情報から判断してもよい。
【００３５】
まず、Ｓ１において、候補領域検出部３１は、空き駐車スペースを検出する。ここでは、候補領域検出部３１は、駐車スペース検出部１から出力された駐車スペース検出信号を取得し、取得した駐車スペース検出信号が示す画像に画像処理を施すことにより、空き駐車スペースを検出する。この検出は、例えば駐車スペースを区切る白線等と、その白線等によって囲まれた領域における他車両の有無とを検出することにより行われる。すなわち、Ｓ１において候補領域検出部３１は、他車両の不在が検出された駐車スペースを、空き駐車スペースとして検出する。
【００３６】
次に、Ｓ２に移行し、現在位置検出部３２は、ＧＰＳ受信機２から出力された自車両位置信号を取得し、それぞれのアンテナにおける位置信号に基づいて、駐車場における自車両の位置および向きを検出する。
【００３７】
次に、Ｓ３に移行し、駐車可否判定部３３は、Ｓ１において検出された駐車スペースとＳ２において検出された自車両の位置および向きとに基づいて、自車両がその駐車スペースに駐車可能か否かを判定する。駐車可否判定部３３は、例えば、自車両が駐車行動の過程において通過する領域を逐次計算し、計算の結果得られる自車両の通過領域が、検出した駐車スペースに重ならないか否かによって駐車可否を判定する。
【００３８】
次に、Ｓ４に移行し、Ｓ３における判定の結果、自車両の通過領域が駐車スペースに重ならないと判定された場合、自車両はこの駐車スペースに駐車可能であると判断され、Ｓ５に移行する。また、自車両の通過領域が駐車スペースに重なると判定された場合、自車両はこの駐車スペースに駐車できないと判断され、Ｓ１１に移行する。
【００３９】
Ｓ５では、駐車位置演算部３４は、Ｓ４において駐車可能と判定された駐車スペースに自車両が駐車した場合の駐車位置および姿勢を演算する。
【００４０】
次に、Ｓ６に移行し、仮想車両設定部３５は、駐車スペース検出部１から出力された駐車スペース検出信号を取得し、取得した駐車スペース検出信号が示す画像に画像処理を施すことにより、駐車可否判定部３３により駐車可能と判定された駐車スペースの両隣の駐車スペースを、周囲駐車スペースとして検出する。
【００４１】
次に、Ｓ７に移行し、仮想車両設定部３５は、検出した周囲駐車スペースに周辺駐車車両を仮想的に配置する。すなわち、仮想車両設定部３５は、駐車スペースの周辺における駐車車両の状態を推定する。ここでいう周辺駐車車両の状態とは、駐車車両の有無、大きさ、形状のことをいう。また、仮想車両設定部３５は、配置した周辺駐車車両の位置によって決まる自車両の周囲スペースを周辺環境として演算する。
【００４２】
図３には、Ｓ５〜Ｓ７において演算される自車両の位置および周辺駐車車両の配置の例を示す。図３に示すように、Ｓ３〜Ｓ４において駐車可能と判断された駐車スペースＡに、自車両５が仮想的に配置されている。また、Ｓ６において検出された、駐車スペースＡの両隣の周囲駐車スペースＢ１（左側），Ｂ２（右側）には、他車両６ａ，６ｂがそれぞれ周辺駐車車両として仮想的に配置されている。
【００４３】
ここで、Ｓ７における周辺駐車車両の配置では、自車両５が駐車スペースＡから出庫する際に存在しうる他車両は、複数種類の状態にあるとして配置される。図３に示す例では、周辺駐車車両６ａは、自車両５よりも大型の車両であり、駐車スペースＡ寄りに駐車されている。また、周辺駐車車両６ｂは、自車両５よりも小型の車両であり、車両前部が周囲駐車スペースＢ２からはみ出し、駐車スペースＡに寄るように駐車されている。
【００４４】
このように周辺駐車車両が配置された状態において、図４に示すように、周辺駐車車両６ａの右側面、周辺駐車車両６ｂの左側面に沿うようにして自車両５の周囲スペースＡ１が演算される。この周囲スペースＡ１は、周辺駐車車両６ａ，６ｂの位置によって決まる自車両５の周囲スペースであり、自車両５が出庫する際に他車両に接触することなく出庫できるか否かの判断基準となる。上述のように、Ｓ７における演算処理では、あらゆる周辺環境を想定し、周辺駐車車両の複数種類の状態に応じて複数種類の周囲スペースが演算される。
【００４５】
次に、Ｓ８に移行し、出庫可否判定部３６は、Ｓ５において演算された自車両５の駐車位置および姿勢とＳ７において演算された自車両５の周囲スペースＡ１とに基づいて、周辺駐車車両６ａ，６ｂが駐車されている状態において自車両５が駐車スペースＡから出庫可能か否かを判定する。出庫可否判定部３６は、例えば、自車両５が出庫の過程において通過する領域を逐次計算し、計算の結果得られる自車両５の通過領域が、周囲スペースＡ１に重ならないか否かによって出庫可否を判定する。
【００４６】
次に、Ｓ９に移行し、Ｓ８における判定の結果、自車両５の通過領域が周囲スペースＡ１に重ならないと判定された場合、自車両５は駐車スペースＡから出庫可能であると判断され、Ｓ１０に移行する。また、自車両５の通過領域が周囲スペースＡ１に重なると判定された場合、自車両５は駐車スペースＡから出庫できないと判断され、Ｓ１１に移行する。
【００４７】
Ｓ１０では、駐車行動決定部３７は、Ｓ８〜Ｓ９における出庫可能の判断結果に基づいて、自車両５の駐車スペースＡへの駐車開始を決定する。すなわち、駐車行動決定部３７は、出庫可否判定部３６によって出庫可能と判定された駐車候補領域に駐車位置を設定する。そして、駐車行動決定部３７は、駐車スペースＡへの駐車を指示する駐車開始信号を生成し、車両制御ＥＣＵ４へ出力する。
【００４８】
一方、Ｓ１１では、駐車行動決定部３７は、Ｓ８〜Ｓ９における出庫不可の判断結果に基づいて、自車両５の駐車スペースＡへの駐車中止を決定し、処理を終了する。
【００４９】
以上の一連の処理を経て、車両制御ＥＣＵ４は、駐車支援ＥＣＵ３の駐車行動決定部３７から出力された駐車開始信号を取得した場合、駐車が決定された駐車スペースＡへ自車両５を駐車させるべく、自車両５を制御する。
【００５０】
こうして、駐車支援装置１０によって駐車場等における自車両５の駐車位置の設定が支援される。
【００５１】
以上のように、本実施形態に係る駐車支援装置１０によれば、候補領域検出部３１、現在位置検出部３２、および駐車可否判定部３３によって駐車スペースＡが検出され、駐車位置演算部３４および仮想車両設定部３５によって自車両５の出庫時における駐車スペースＡの周囲スペースＡ１が推定される。また、こうして推定された周囲スペースＡ１において自車両５が出庫可能か否かが出庫可否判定部３６によって判定され、この判定結果に基づいて駐車位置の設定が駐車行動決定部３７によって支援される。よって、出庫時に周辺環境がどのように変化するかを考慮して出庫の可否を判定し、自車両５の駐車位置を設定するため、駐車中の周辺環境の変化に応じた駐車位置の設定が可能となる。したがって、周辺状況が変化しても出庫可能な駐車位置を設定することができる。
【００５２】
また、本実施形態に係る駐車支援装置１０によれば、出庫可否判定部３６によって出庫可能と判定された駐車スペースＡに駐車位置が設定されるため、出庫可能な駐車位置に自車両５を駐車することができる。よって、駐車中の状況変化により出庫が不可能となる事態を回避できる。
【００５３】
また、本実施形態に係る駐車支援装置１０によれば、駐車位置演算部３４および仮想車両設定部３５によって駐車スペースＡの周辺における周辺駐車車両６ａ，６ｂの状態が推定される。また、こうして推定された周辺駐車車両６ａ，６ｂの状態において自車両５が出庫可能か否かが判定され、この判定結果に基づいて駐車位置の設定が支援される。よって、周辺の駐車車両の状態が変化しても出庫可能な駐車位置を設定することができる。すなわち、この発明によれば、駐車時には空いていたスペースに駐車車両が駐車していたり、周辺の駐車車両が大きくなる等の状況変化により出庫が不可能となる事態を回避できる。
【００５４】
次に、図５および図６を参照しながら本実施形態の駐車支援装置１０による他の処理手順を説明する。
【００５５】
図５に示すＳ１〜Ｓ７は、図２に示したＳ１〜Ｓ７に相当するが、Ｓ１２では、図２のＳ３とは異なり、駐車可否判定部３３は、自車両５が駐車スペースに駐車可能か否かを判定するにあたり、駐車スペースに後ろ向きで駐車する場合と、前向きで駐車する場合との２通りについて、駐車可否を判定する。その他の処理は、図２の処理手順と同様である。
【００５６】
そして、図６のＳ１３に移行し、駐車可否判定部３３は、Ｓ１２，Ｓ４の駐車可否判断において、後ろ向きでの駐車が可能であったか否かを判断する。自車両５は駐車スペースに後ろ向きで駐車できなかったと判断された場合、Ｓ１７に移行する。
【００５７】
Ｓ１３において、自車両５は駐車スペースに後ろ向きで駐車可能であった場合、Ｓ１４に移行し、駐車可否判定部３３は、Ｓ５において演算された自車両５の駐車位置および姿勢とＳ７において演算された自車両５の周囲スペースとに基づいて、周辺駐車車両が駐車されている状態において自車両５が駐車スペースから出庫可能か否かを判定する。この判定方法は、図２のＳ８と同様である。
【００５８】
次に、Ｓ１５に移行し、Ｓ１４における判定の結果、自車両５の通過領域が周囲スペースに重ならないと判定された場合、自車両５は駐車スペースから出庫可能であると判断され、Ｓ１６に移行する。また、自車両５の通過領域が周囲スペースに重なると判定された場合、自車両５は駐車スペースから出庫できないと判断され、Ｓ１７に移行する。
【００５９】
さらに、Ｓ１６では、駐車可否判定部３３は、駐車スペースから出庫した後、自車両５が走行しやすいか否かを判断する。すなわち、駐車可否判定部３３は、出庫後の目標進路に対して自車両５が追従可能か否かを判断する。図７には、駐車支援装置１０における出庫後の走行難易度判断の例を示している。図７（ａ）に例示するように駐車場の出口Ｅが駐車スペースの真横にある場合は、後ろ向き駐車をしている自車両５にとって出庫後の走行がしやすいと判断され、Ｓ１０に移行する。また、駐車スペースと出口の位置関係から自車両５は出庫後走行しにくいと判断されると、Ｓ１７に移行する。
【００６０】
Ｓ１７では、駐車可否判定部３３は、Ｓ１２，Ｓ４の駐車可否判断において、前向きでの駐車が可能であったか否かを判断する。自車両５は駐車スペースに前向きで駐車できなかったと判断された場合、Ｓ１１に移行する。
【００６１】
続いて、Ｓ１８〜Ｓ２０では、Ｓ１４〜Ｓ１６と同様にして、駐車可否判定部３３は、自車両５が駐車スペースから出庫可能か否か、出庫後の走行はしやすいか否かを判断する。例えば、Ｓ２０において、図７（ｂ）に例示するように駐車場の出口Ｅが駐車スペースの真横にある場合は、前向き駐車をしている自車両５にとって切り返しが必要となり、出庫後の走行がしにくいと判断され、Ｓ１１に移行する。また、駐車スペースと出口の位置関係から自車両５は出庫後走行しやすいと判断されると、Ｓ１０に移行する。
【００６２】
Ｓ１０では、Ｓ１６において出庫後走行しやすいと判断された場合、駐車行動決定部３７は、駐車スペースへの後ろ向きでの駐車を決定する。また、Ｓ２０において出庫後走行しやすいと判断された場合、駐車行動決定部３７は、駐車スペースへの前向きでの駐車を決定する。そして、駐車行動決定部３７は、駐車スペースへの後ろ向きまたは前向きでの駐車を指示する駐車開始信号を生成し、車両制御ＥＣＵ４へ出力する。なお、Ｓ１１における処理は、図２の処理手順と同様である。
【００６３】
以上の一連の処理を経て、車両制御ＥＣＵ４は、駐車支援ＥＣＵ３の駐車行動決定部３７から出力された駐車開始信号を取得した場合、駐車が決定された駐車スペースＡへ後ろ向きまたは前向きにて自車両５を駐車させるべく、自車両５を制御する。こうして、駐車支援装置１０によって駐車場等における自車両５の駐車位置の設定が支援される。
【００６４】
このような駐車位置の支援によれば、自車両５の出庫後の走行のしやすさを考慮することにより、出庫後に自車両５が走行しやすい駐車方法によって駐車支援を行うことができる。
【００６５】
（第二実施形態）
図８は第二実施形態に係る駐車支援装置を示すブロック構成図、図９はこの駐車支援装置による処理手順を示すフローチャートである。
【００６６】
図８に示す本実施形態の駐車支援装置２０が、図１に示した駐車支援装置１０と異なる点は、自車両の出庫予定時間を入力するためのテンキー７と、駐車スペースの前後の通路の状況が通路状況情報として格納された駐車環境ＤＢ８とを備えた点である（この「ＤＢ」は「データベース」を意味し、以下の説明においても同様とする。）。また、駐車支援装置２０の駐車支援ＥＣＵ１３は、図１の駐車支援装置１０における仮想車両設定部３５は備えていない。駐車支援装置２０においては、駐車位置演算部３４は、駐車候補領域の前後の通路の状況を推定する環境変化推定手段として機能する。
【００６７】
また、図９に示すように、駐車支援装置２０による処理では、Ｓ５の駐車位置演算に続いて、Ｓ２１に移行し、駐車位置演算部３４は、自車両５のドライバ等がテンキー７により入力した出庫予定時間を取得する。
【００６８】
次に、Ｓ２２に移行し、駐車位置演算部３４は、Ｓ２１において取得した自車両５の出庫予定時間における駐車スペースの前方または後方の出庫する方向の通路の状況を、駐車環境ＤＢ８から取得した通路状況情報に基づいて推定する。ここで駐車環境ＤＢ８から取得される通路の状況としては、例えば通勤時の渋滞や、休日の店舗の混雑状況等が挙げられる。
【００６９】
次に、Ｓ２３に移行し、出庫可否判定部３６は、Ｓ２２において推定された通路の状況に応じて、出庫の可否を判定する。ここでは、例えば、自車両５の出庫予定時間において前方の通路が他車両による渋滞で出庫困難と推定された場合、出庫できないと判定する。
【００７０】
駐車支援装置２０における上記以外の処理は、第一実施形態における処理と同様である。
【００７１】
このような駐車支援装置２０によれば、駐車位置演算部３４によって駐車スペースの前後の通路の状況が推定される。また、こうして推定された駐車スペースの前後の通路の状況において自車両５が出庫可能か否かが判定され、この判定結果に基づいて駐車位置の設定が支援される。よって、駐車スペースの前後の通路の状況が変化しても出庫可能な駐車位置を設定することができる。また、通路の混雑度が増すこと等により出庫不可能となる事態を回避することができる。
【００７２】
（第三実施形態）
図１０は第三実施形態に係る駐車支援装置を示すブロック構成図、図１１はこの駐車支援装置による処理手順を示すフローチャート、図１２は図１１に続く処理手順を示すフローチャートである。
【００７３】
図１０に示す本実施形態の駐車支援装置３０が、図１に示した駐車支援装置１０と異なる点は、駐車場の地図情報が格納された地図ＤＢ９と、自車両５が現在位置から駐車スペースに到達するまでに要する時間を演算する到着時間演算部３８と、この到達時間内に他車両が駐車スペースに到達しうる距離ｄを演算する検出範囲演算部３９と、駐車スペースからこの距離ｄの範囲内にある他車両を検出する他車両検出部４０とを備えた点である。駐車支援装置３０においては、到着時間演算部３８、検出範囲演算部３９、および他車両検出部４０は、自車両５が駐車スペースに駐車するよりも前に、駐車スペースに他車両が駐車するか否かを推定する推定手段として機能する。
【００７４】
また、駐車支援装置３０による処理における図１１のＳ１〜Ｓ９は、図２に示したＳ１〜Ｓ９と同様である。駐車支援装置３０においては、図９において自車両５は駐車スペースから出庫可能であると判断された場合、図１２に示すＳ３１に移行する。
【００７５】
Ｓ３１では、到着時間演算部３８は、自車両５から駐車スペースまでの経路の距離から、自車両５が現在位置から駐車スペースに到達するまでに要する時間を演算する。言い換えれば、到着時間演算部３８は、駐車スペースまでの到達時間を演算する。ここでは、到着時間演算部３８は、例えば駐車スペースまでの距離と自車両５の予定走行速度とに基づいて到達時間を演算する。この到着時間は厳密に演算する必要はなく、長めの到着時間としてもよい。
【００７６】
次に、Ｓ３２に移行し、検出範囲演算部３９は、Ｓ３１において演算された到達時間に他車両が駐車スペースに到達しうる距離ｄを演算する。ここでは、検出範囲演算部３９は、例えば他車両の駐車場内での想定速度とＳ３１において演算された到達時間とに基づいて距離ｄを演算する。この距離ｄについても、厳密に演算する必要はなく、長めの距離としてもよい。
【００７７】
次に、Ｓ３３に移行し、他車両検出部４０は、Ｓ３２において演算された距離ｄを用いて、駐車スペースからこの距離ｄの範囲内にある他車両を検出する。ここで検出される他車両は、自車両５が駐車スペースに駐車するよりも前に、駐車スペースに駐車しうる他車両を意味する。ここでの他車両の検出は、駐車スペース検出部１等を用いて検出すればよい。
【００７８】
次に、Ｓ３４に移行し、他車両検出部４０は、Ｓ３３において他車両が検出されたか否かを判断する。他車両検出部４０は、駐車支援装置スペースから距離ｄの範囲内に他車両は検出されなかった場合、Ｓ３５に移行する。また、駐車支援装置スペースから距離ｄの範囲内に他車両が検出された場合、Ｓ３６に移行する。すなわち、このＳ３４では、他車両検出部４０は、自車両５が駐車スペースに駐車するよりも前に、駐車スペースに他車両が駐車するか否かを推定する。
【００７９】
駐車支援装置３０におけるＳ３５〜Ｓ３６は、図２に示したＳ１０〜Ｓ１１の処理と同様である。すなわち、本実施形態の駐車支援装置３０においては、駐車行動決定部３７は、到着時間演算部３８、検出範囲演算部３９、および他車両検出部４０による推定結果に基づいて駐車位置を設定する。
【００８０】
このような駐車支援装置３０によれば、自車両５が駐車スペースに駐車するよりも前に、駐車スペースに他車両が駐車するか否かが到着時間演算部３８、検出範囲演算部３９、および他車両検出部４０によって推定される。また、この推定結果に基づいて駐車位置の設定が支援される。よって、他車両に先に駐車されてしまい駐車が不可能となる事態を回避できる。
【００８１】
以上、本発明の好適な実施形態について詳細に説明したが、本発明に係る駐車支援装置は、上記実施形態に限られるものではない。上記実施形態では、空き駐車スペースの検出や他車両の検出に、レーザーレンジファインダやカメラを用いる場合について説明したが、駐車スペースや他車両を検出できるものであればいかなるものでもよく、例えば駐車場の管理センターや駐車場に設けられたカメラ等からの情報を用いてもよい。また、上記実施形態では、駐車スペースの周辺における駐車車両の状態推定において、駐車スペースの両隣の周囲駐車スペースを検出したが、前方や後方の周囲駐車スペースを検出して周辺駐車車両を配置してもよい。
【００８２】
また、上記実施形態では、支援手段は、駐車を開始するか中止するかを決定する場合について説明したが、自車両が既に駐車している状態において、現在の駐車スペースから別の駐車スペースに移動するか否かを決定するような支援を行ってもよい。また、上記実施形態では、車両制御ＥＣＵによって自車両を駐車スペースへ駐車させるべく制御する場合について説明したが、例えば駐車支援ＥＣＵによる駐車位置の設定結果をドライバに報知し、ドライバが、報知された駐車位置を確認して駐車を行ってもよい。
【図面の簡単な説明】
【００８３】
【図１】第一実施形態に係る駐車支援装置を示すブロック構成図である。
【図２】図１の駐車支援装置による処理手順を示すフローチャートである。
【図３】図１の駐車支援装置による自車両位置および仮想車両配置の説明図である。
【図４】図１の駐車支援装置による周囲スペース演算の説明図である。
【図５】図１の駐車支援装置による他の処理手順を示すフローチャートである。
【図６】図５に続く処理手順を示すフローチャートである。
【図７】図１の駐車支援装置による出庫後の走行難易度判断の説明図である。
【図８】第二実施形態に係る駐車支援装置を示すブロック構成図である。
【図９】図８の駐車支援装置による処理手順を示すフローチャートである。
【図１０】第三実施形態に係る駐車支援装置を示すブロック構成図である。
【図１１】図１０の駐車支援装置による処理手順を示すフローチャートである。
【図１２】図１１に続く処理手順を示すフローチャートである。
【符号の説明】
【００８４】
５…自車両、６ａ，６ｂ…他車両、１０，２０，３０…駐車支援装置、３１…候補領域検出部（駐車候補領域検出手段）、３２…現在位置検出部（駐車候補領域検出手段）、３３…駐車可否判定部（駐車候補領域検出手段）、３４…駐車位置演算部（環境変化推定手段）、３５…仮想車両設定部（環境変化推定手段）、３６…出庫可否判定部（判定手段）、３７…駐車行動決定部（支援手段）、３８…到着時間演算部（推定手段）、３９…検出範囲演算部（推定手段）、４０…他車両検出部（推定手段）、Ａ…駐車スペース（駐車候補領域）、Ａ１…周囲スペース（周辺環境）。
【図１】
2010132029.tif 000003
【図２】
2010132029.tif 000004
【図３】
2010132029.tif 000005
【図４】
2010132029.tif 000006
【図５】
2010132029.tif 000007
【図６】
2010132029.tif 000008
【図７】
2010132029.tif 000009
【図８】
2010132029.tif 000010
【図９】
2010132029.tif 000011
【図１０】
2010132029.tif 000012
【図１１】
2010132029.tif 000013
【図１２】
2010132029.tif 000014